(57)【要約】【課題】ＳＨＯ（ソフトハンドオーバー）開始時に、他の装置の支援によらず、ハードウェア的に送信開始タイミングを決定できるＣＤＭＡ基地局システムの通信制御装置を提供する。【解決手段】制御部１０と、送信信号処理部９と、拡散部２ａ、２ｂとを具備するＣＤＭＡ基地局システムの通信制御装置を用いる。制御部１０は、第１セクタで通信中の移動局におけるその第１セクタ及びその第１セクタと異なる第２セクタによるソフトハンドオーバーの開始を示す第１送信開始信号を出力する。送信信号処理部９は、第１送信開始信号（及び同期確立信号）に基づいて第１タイミングを決定し、その第１タイミングでそのソフトハンドオーバーの開始を示す第２送信開始信号を出力する。拡散部２は、第２送信開始信号に基づいて、その通信の送信ベースバンド信号に拡散処理を行った拡散信号を生成し、通信を開始する。【選択図】      図１
2004201162.tif 000002
【特許請求の範囲】
【請求項１】
第１セクタで通信中の移動局における前記第１セクタ及び前記第１セクタと異なる第２セクタによるソフトハンドオーバーの開始を示す第１送信開始信号を出力する制御部と、
前記第１送信開始信号に基づいて第１タイミングを決定し、前記第１タイミングで前記ソフトハンドオーバーの開始を示す第２送信開始信号を出力する送信信号処理部と、
前記第２送信開始信号に基づいて、前記通信の送信ベースバンド信号に拡散処理を行った拡散信号を生成する拡散部と
を具備する
ＣＤＭＡ基地局システムの通信制御装置。
【請求項２】
請求項１に記載のＣＤＭＡ基地局システムの通信制御装置において、
前記移動局から受信した受信信号に基づいて、同期検出を行い同期確立信号を出力する逆拡散処理部を更に備え、
前記送信信号処理部は、前記第１送信開始信号に加えて前記同期確立信号に基づいて、前記第１タイミングを決定する
ＣＤＭＡ基地局システムの通信制御装置。
【請求項３】
請求項１に記載のＣＤＭＡ基地局システムの通信制御装置において、
送信信号処理部は、
複数の送信タイミング値を格納するメモリと、
前記第１送信開始信号の入力に対応して前記メモリから読み出された前記送信タイミング値に基づいて、前記送信タイミング値の全加算としての送信開始タイミング値を出力する送信制御信号生成部と、ここで、前記送信タイミング値は、前記移動局に対応する値が読み出され、
第１カウンタを含み、前記第１カウンタのカウンタ値と前記送信開始タイミング値とが一致したとき、前記第２送信開始信号を出力するタイミング生成部と
を備え、
前記送信制御信号生成部は、前記第２送信開始信号を受信して、前記拡散部へ前記第２送信開始信号を出力する
ＣＤＭＡ基地局システムの通信制御装置。
【請求項４】
請求項２に記載のＣＤＭＡ基地局システムの通信制御装置において、
送信信号処理部は、
複数の送信タイミング値を格納するメモリと、
前記第１送信開始信号の入力に対応して前記メモリから読み出された前記送信タイミング値に基づいて、前記送信タイミング値の全加算としての送信開始タイミング値を出力する送信制御信号生成部と、ここで、前記送信タイミング値は、前記移動局に対応する値が読み出され、
第１カウンタを含み、前記第１カウンタのカウンタ値と前記送信開始タイミング値とが一致したとき、前記第２送信開始信号を出力するタイミング生成部と
第２カウンタを含み、前記第２送信開始信号が入力されたときの前記第２カウンタの第２カウンタ値を保持する送信タイミングカウンタと、
第３カウンタを含み、前記同期確立信号が入力されたときの前記第３カウンタの第３カウンタ値を保持する同期タイミングカウンタと、
前記同期確立信号の入力に対応して、前記送信タイミングカウンタから前記第２カウンタ値を、及び前記同期タイミングカウンタから前記第３カウンタ値をそれぞれ読み出し、前記第２カウンタ値と前記第３カウンタ値との差分を算出するタイミング測定部と
を備え、
前記送信制御信号生成部は、前記第２送信開始信号を受信して、前記拡散部へ前記第２送信開始信号を出力し、前記差分を前記送信タイミング値の一つとして前記メモリに格納する
ＣＤＭＡ基地局システムの通信制御装置。
【請求項５】
請求項２に記載のＣＤＭＡ基地局システムの通信制御装置において、
送信信号処理部は、
複数の送信タイミング値を格納するメモリと、
前記第１送信開始信号の入力に対応して前記メモリから読み出された前記送信タイミング値に基づいて、前記送信タイミング値の全加算としての送信開始タイミング値を出力する送信制御信号生成部と、ここで、前記送信タイミング値は、前記移動局に対応する値が読み出され、
第１カウンタを含み、前記第１カウンタのカウンタ値と前記送信開始タイミング値とが一致したとき、前記第２送信開始信号を出力するタイミング生成部と
タイミング測定部と
を備え、
前記タイミング生成部は、前記第１カウンタのカウンタ値と前記送信開始タイミング値とが一致したときの第１カウンタの値としての送信第１カウンタ値を前記タイミング測定部へ出力し、前記同期確立信号が入力されたときの前記第１カウンタの値としての同期第１カウンタ値を前記タイミング測定部へ出力し、
前記タイミング測定部は、前記同期確立信号の入力に対応して、前記送信第１カウンタ値と前記同期第１カウンタ値との差分を算出し、
前記送信制御信号生成部は、前記第２送信開始信号を受信して、前記拡散部へ前記第２送信開始信号を出力し、前記差分を前記送信タイミング値の一つとして前記メモリに格納する
ＣＤＭＡ基地局システムの通信制御装置。
【請求項６】
請求項４又は５に記載のＣＤＭＡ基地局システムの通信制御装置において、
送信信号処理部は、
前記タイミング測定部から出力された前記差分が、予め設定された基準値以下の場合、前記差分を前記送信制御信号生成部へ出力するタイミング比較部を更に備える
ＣＤＭＡ基地局システムの通信制御装置。
【請求項７】
請求項１乃至７のいずれか一項に記載の通信制御装置と、
前記通信制御装置に接続され、移動局と通信を行うアンテナと
を具備する
ＣＤＭＡ基地局システム。
【請求項８】
（ａ）第１セクタで通信中の移動局における前記第１セクタ及び前記第１セクタと異なる第２セクタによるソフトハンドオーバーの開始を示す第１送信開始信号を出力するステップと、
（ｂ）前記第１送信開始信号に基づいて第１タイミングを決定し、前記第１タイミングで前記ソフトハンドオーバーの開始を示す第２送信開始信号を出力するステップと、
（ｃ）前記第２送信開始信号に基づいて、前記通信の送信ベースバンド信号に拡散処理を行った拡散信号を出力するステップと、
を具備する、
ＣＤＭＡ基地局システムの通信制御方法。
【請求項９】
請求項８に記載のＣＤＭＡ基地局システムの通信制御方法において、
前記（ｂ）ステップは、
（ｂ１）前記移動局に対応する送信タイミング値を読み出すステップと、
（ｂ２）前記第１送信開始信号の入力に対応して、前記送信タイミング値の全加算としての送信開始タイミング値を算出するステップと、
（ｂ３）第１カウンタのカウンタ値と前記送信開始タイミング値とが一致したとき、前記第２送信開始信号を出力するステップと、
を備える
ＣＤＭＡ基地局システムの通信制御方法。
【請求項１０】
請求項９に記載のＣＤＭＡ基地局システムの通信制御方法において、
（ｄ）前記第２セクタで前記移動局と通信を行うステップと、
（ｅ）前記移動局から受信した受信信号に基づいて、同期検出を行い同期確立信号を出力するステップと、
（ｆ）前記第１送信開始信号に加えて前記同期確立信号に基づいて前記第１タイミングを決定し、前記第１タイミングで前記ソフトハンドオーバーの開始を示す第２送信開始信号を出力するステップと
を更に具備する
ＣＤＭＡ基地局システムの通信制御方法。
【請求項１１】
請求項１０に記載のＣＤＭＡ基地局システムの通信制御方法において、
前記（ｆ）ステップは、
（ｆ０１）前記第２送信開始信号が入力されたときの第２カウンタの第２カウンタ値を保持するステップと、
（ｆ０２）前記同期確立信号が入力されたときの第３カウンタの第３カウンタ値を保持するステップと、
（ｆ０３）前記同期確立信号の入力に対応して、前記第２カウンタ値と前記第３カウンタ値とをそれぞれ読み出し、前記第２カウンタ値と前記第３タイミング値との差分を算出するステップと、
（ｆ０４）前記差分を前記送信タイミング値の一つとして前記メモリに格納するステップと
を備える
ＣＤＭＡ基地局システムの通信制御方法。
【請求項１２】
請求項１０に記載のＣＤＭＡ基地局システムの通信制御方法において、
前記（ｆ）ステップは、
（ｆ１１）前記第１カウンタのカウンタ値と前記送信開始タイミング値とが一致したときの第１カウンタの値としての送信第１カウンタ値を出力するステップと、
（ｆ１２）前記同期確立信号が入力されたときの前記第１カウンタの値としての同期第１カウンタ値を出力するステップと、
（ｆ１３）前記同期確立信号の入力に対応して、前記送信第１カウンタ値と前記同期第１カウンタ値との差分を算出するステップと、
（ｆ１４）前記差分を前記送信タイミング値の一つとして前記メモリに格納するステップと
を備える
ＣＤＭＡ基地局システムの通信制御方法。
【請求項１３】
請求項１１又は１２に記載のＣＤＭＡ基地局システムの通信制御方法において、
前記メモリは、前記差分が、予め設定された基準値以下の場合に前記差分を格納する
ＣＤＭＡ基地局システムの通信制御方法。
【発明の詳細な説明】
【０００１】
【発明の属する技術分野】
本発明は、ＣＤＭＡ基地局システムの通信制御装置、その通信制御方法及びＣＤＭＡ基地局システムに関し、特に、ソフトハンドオーバーに関わる通ＣＤＭＡ基地局システムの通信制御装置、その通信制御方法及びＣＤＭＡ基地局システムに関する。
【０００２】
【従来の技術】
符号分割多元接続（Ｃｏｄｅ  Ｄｉｖｉｓｉｏｎ  Ｍｕｌｔｉｐｌｅ  Ａｃｃｅｓｓ：以下、「ＣＤＭＡ」）無線伝送方式において、サービスエリアを複数のセルに分割し、セルの中心に基地局を配置するセルラー方式が知られている。そのセルラー方式は、セルをセクタと呼ばれる領域に分割して、各セクタに対応してアンテナを配置して送信を行う。そして、移動局が同時に同一の基地局の複数のセクタと無線リンクを接続して行うソフトハンドオーバー（以下、「ＳＨＯ」）を行うことで、受信品質の向上ならびに無瞬断通信を実現している。
【０００３】
移動局が、基地局の特定のセクタ及びその特定のセクタと異なる他のセクタから無線リンクを接続する場合、送信セットアップに要する時間差により、基地局側が先に送信を開始する。基地局側では移動局からの上り無線リンクが確立しない場合、送信電力制御により基地局からの送信電力値を徐々に上げて送信を行う。そのため、基地局側から送信を開始して移動局からの受信信号の同期が確立するまでの間、基地局より送信される無線信号は、他の移動局にとって干渉成分となり、通信品質を劣化させる。この干渉成分を減少させるため、基地局側は、ＳＨＯ時に送信開始タイミングを一定時間遅らせて送信する必要がある。
【０００４】
図８は、従来のＣＤＭＡ基地局装置の回路構成の一例を示すブロック図である。
アンテナ１０５ａより上り下り無線リンクが接続されていて、アンテナ１０５ｂでＳＨＯを行う場合、制御部１１０は、送信開始タイミングを制御する必要がある。制御部１１０は、内部カウンタ１０９をソフトウェアによるポーリング処理で参照しており、内部カウンタ１０９からの読み出し値と外部から入力される送信開始タイミング値とから送信開始タイミングを算出して送信開始信号を拡散部１０２ｂへ出力し、送信を開始する。このとき、制御部１１０は、送信開始タイミング値を上位装置により通知してもらう必要があるため、ソフト間でのインターフェースを必要とする。
【０００５】
この図８に示す従来の構成では次のような問題点がある。
第一の問題点は、この回路は、送信開始タイミングの算出に必要な送信開始タイミング値を、ＳＨＯ開始前に上位装置より通知してもらう必要があることである。その理由は、この回路が、アンテナ１０５ａによる無線リンクでの送信開始時間と受信信号の同期確立時間を測定していないため、送信開始タイミングを算出するためには、予め、予想される送信開始タイミング値を知る必要があるからである。
第二の問題点は、ソフトウェアによる処理の増加である。その理由は、この回路は、内部カウンタ１０９をソフトウェアによるポーリング処理で参照し、送信開始タイミングのカウンタ値を算出する必要があり、また、送信開始制御もソフトウェアが判断してこれを実行する必要があるからである。
【０００６】
ＣＤＭＡ基地局装置において、ＳＨＯ開始時に他の装置の支援によらずに送信開始タイミングを決定可能な技術が求められている。ＳＨＯ開始時に上位装置からの送信開始タイミング値によらずに送信開始タイミングを決定可能な技術が求められている。ＳＨＯ開始時にソフトウェアによる処理の負担のより少ない技術が望まれている。ＳＨＯ開始時にソフトウェアによる送信開始タイミング値の授受、送信開始タイミングの算出、タイマの監視、送信開始制御のような制御を行う必要のない技術が求められている。
【０００７】
関連する技術として、特表２００１−５１７８９２号公報（ＰＣＴ／ＵＳ９８／１９４６７：特許文献１）に、ＣＤＭＡ通信システムにおけるタイミング同期を支援された移動局の技術が開示されている。この技術は、第１の基地局を基準基地局に時間同期させる方法である。
この方法は、（ａ）〜（ｄ）ステップを具備する。（ａ）ステップは、基準基地局から基準基地局と通信中の移動局への送信と、移動局から基準基地局への返信との往復遅延時間間隔を測定する。（ｂ）ステップは、第１の基地局からの順方向リンク信号の受信時点と、基準基地局からの順方向リンク信号の受信時点との間の第１の時間差を移動局において測定する。（ｃ）ステップは、移動局からの逆方向リンク信号の受信時点と第１の基地局からの順方向リンク信号の送信時点との間の第２の時間差を第１の基地局において測定する。（ｄ）ステップは、測定された往復遅延時間間隔と第１の時間差と第２の時間差とに従って、タイミング補正値を計算する。タイミング補正値は、第１の基地局のタイミングの調整に用いる。
【０００８】
【特許文献１】
特表２００１−５１７８９２号公報
【０００９】
【発明が解決しようとする課題】
従って、本発明の目的は、ＳＨＯ（ソフトハンドオーバー）開始時に、他の装置の支援によらずに送信開始タイミングを決定可能な通信制御装置、ＣＤＭＡ基地局システム及び通信制御方法を提供することである。
【００１０】
また、本発明の他の目的は、ＳＨＯ開始時に上位装置からの送信開始タイミング値によらずに送信タイミングを決定可能なＣＤＭＡ基地局システムの通信制御装置、その通信制御方法及びＣＤＭＡ基地局システムを提供することである。
【００１１】
本発明の更に他の目的は、ＳＨＯ開始時にソフトウェアによる処理の負担のより少ないＣＤＭＡ基地局システムの通信制御装置、その通信制御方法及びＣＤＭＡ基地局システムを提供することである。
【００１２】
本発明の別の目的は、ＳＨＯ開始時にソフトウェアによる送信開始タイミング値の授受、送信タイミングの算出、タイマの監視、送信開始制御のような制御を行う必要のないＣＤＭＡ基地局システムの通信制御装置、その通信制御方法及びＣＤＭＡ基地局システムを提供することである。
【００１３】
本発明の更に別の目的は、装置内のハードウエアによりＳＨＯ開始時の送信開始タイミングを決定可能なＣＤＭＡ基地局システムの通信制御装置、その通信制御方法及びＣＤＭＡ基地局システムを提供することである。
【００１４】
【課題を解決するための手段】
以下に、［発明の実施の形態］で使用される番号・符号を用いて、課題を解決するための手段を説明する。これらの番号・符号は、［特許請求の範囲］の記載と［発明の実施の形態］との対応関係を明らかにするために括弧付きで付加されたものである。ただし、それらの番号・符号を、［特許請求の範囲］に記載されている発明の技術的範囲の解釈に用いてはならない。
【００１５】
従って、上記課題を解決するために、本発明のＣＤＭＡ基地局システムの通信制御装置は、制御部（１０）と、送信信号処理部（９）と、拡散部（２：２ａ、２ｂ）とを具備する。
制御部（１０）は、第１セクタで通信中の移動局におけるその第１セクタ及びその第１セクタと異なる第２セクタによるソフトハンドオーバーの開始を示す第１送信開始信号（ＳＴ１）を出力する。送信信号処理部（９）は、第１送信開始信号（ＳＴ１）に基づいて第１タイミングを決定し、その第１タイミングでそのソフトハンドオーバーの開始を示す第２送信開始信号（ＳＴ２）を出力する。拡散部（２：２ａ、２ｂ）は、第２送信開始信号（ＳＴ２）に基づいて、その通信の送信ベースバンド信号に拡散処理を行った拡散信号を生成する。
【００１６】
上記のＣＤＭＡ基地局システムの通信制御装置において、その移動局から受信した受信信号に基づいて、同期検出を行い同期確立信号（ＳＤ）を出力する逆拡散処理部（７）を更に備える。
そして、送信信号処理部（９）は、第１送信開始信号（ＳＴ１）に加えて同期確立信号（ＳＤ）に基づいて、その第１タイミングを決定する。
【００１７】
上記のＣＤＭＡ基地局システムの通信制御装置において、送信信号処理部（９）は、メモリ（９ｇ）と、送信制御信号生成部（９ａ）と、タイミング生成部（９ｈ）とを備える。
メモリ（９ｇ）は、複数の送信タイミング値（Δ）を格納する。送信制御信号生成部（９ａ）は、第１送信開始信号（ＳＴ１）の入力に対応してメモリ（９ｇ）から読み出された送信タイミング値（Δ）に基づいて、送信タイミング値（Δ）の全加算としての送信開始タイミング値（ＴＭ）を出力する。ここで、送信タイミング値（Δ）は、その移動局に対応する値が読み出される。タイミング生成部（９ｈ）は、第１カウンタを含み、第１カウンタのカウンタ値（Ｃ０）と送信開始タイミング値（ＴＭ）とが一致したとき、第２送信開始信号（ＳＴ２）を出力する。
そして、送信制御信号生成部（９ａ）は、第２送信開始信号（ＳＴ２）を受信して、拡散部（２）へ第２送信開始信号（ＳＴ２）を出力する。
【００１８】
上記のＣＤＭＡ基地局システムの通信制御装置において、送信信号処理部は、メモリ（９ｇ）と、送信制御信号生成部（９ａ）と、タイミング生成部（９ｈ）と、送信タイミングカウンタ（９ｄ）と、同期タイミングカウンタ（９ｃ）と、タイミング測定部（９ｅ）とを更に備える。
メモリ（９ｇ）は、複数の送信タイミング値（Δ）を格納する。送信制御信号生成部（９ａ）は、第１送信開始信号（ＳＴ１）の入力に対応してメモリ（９ｇ）から読み出された送信タイミング値（Δ）に基づいて、送信タイミング値（Δ）の全加算としての送信開始タイミング値（ＴＭ）を出力する。ここで、送信タイミング値（Δ）は、その移動局に対応する値が読み出される。タイミング生成部（９ｈ）は、第１カウンタを含み、その第１カウンタのカウンタ値（Ｃ０）と送信開始タイミング値（ＴＭ）とが一致したとき、第２送信開始信号（ＳＴ２）を出力する。送信タイミングカウンタ（９ｄ）は、第２カウンタを含み、第２送信開始信号（ＳＴ２）が入力されたときのその第２カウンタの第２カウンタ値（Ｃ１）を保持する。同期タイミングカウンタ（９ｃ）は、第３カウンタを含み、同期確立信号（ＳＤ）が入力されたときのその第３カウンタの第３カウンタ値（Ｃ２）を保持する。タイミング測定部（９ｅ）は、同期確立信号（ＳＤ）の入力に対応して、送信タイミングカウンタ（９ｄ）から第２カウンタ値（Ｃ１）を、及び同期タイミングカウンタ（９ｃ）から第３カウンタ値（Ｃ２）をそれぞれ読み出し、第２カウンタ値（Ｃ１）と第３カウンタ値（Ｃ２）との差分（Δ）を算出する。
そして、送信制御信号生成部（９ａ）は、第２送信開始信号（ＳＴ２）を受信して、拡散部（２）へ第２送信開始信号（ＳＴ２）を出力する。また、差分（Δ）を送信タイミング値（Δ）の一つとしてメモリ（９ｇ）に格納する。
【００１９】
上記のＣＤＭＡ基地局システムの通信制御装置において、送信信号処理部は、メモリ（９ｇ）と、送信制御信号生成部（９ａ）と、タイミング生成部（９ｉ）と、タイミング測定部（９ｅ）とを更に備える。
メモリ（９ｇ）は、複数の送信タイミング値（Δ）を格納する。送信制御信号生成部（９ａ）は、第１送信開始信号（ＳＴ１）の入力に対応してメモリ（９ｇ）から読み出された送信タイミング値（Δ）に基づいて、送信タイミング値（Δ）の全加算としての送信開始タイミング値（ＴＭ）を出力する。ここで、送信タイミング値（Δ）は、その移動局に対応する値が読み出される。タイミング生成部（９ｈ）は、第１カウンタを含み、その第１カウンタのカウンタ値（Ｃ０）と送信開始タイミング値（ＴＭ）とが一致したとき、第２送信開始信号（ＳＴ２）を出力する。
そして、タイミング生成部（９ｉ）は、その第１カウンタのカウンタ値と送信開始タイミング値（ＴＭ）とが一致したときの第１カウンタの値としての送信第１カウンタ値（Ｃ０１）をタイミング測定部（９ｅ）へ出力する。加えて、同期確立信号（ＳＤ）が入力されたときのその第１カウンタの値としての同期第１カウンタ値（Ｃ０２）をタイミング測定部（９ｅ）へ出力し、
タイミング測定部（９ｅ）は、同期確立信号（ＳＤ）の入力に対応して、送信第１カウンタ値（Ｃ０１）と同期第１カウンタ値（Ｃ０２）との差分（Δ）を算出する。送信制御信号生成部（９ａ）は、第２送信開始信号（ＳＴ２）を受信して、拡散部（２）へ第２送信開始信号（ＳＴ２）を出力する。加えて、差分（Δ）を送信タイミング値（Δ）の一つとしてメモリ（９ｇ）に格納する
【００２０】
上記のＣＤＭＡ基地局システムの通信制御装置において、送信信号処理部（９）は、タイミング測定部（９ｅ）から出力された差分（Δ）が、予め設定された基準値（Ｐ）以下の場合、差分（Δ）を送信制御信号生成部（９ａ）へ出力するタイミング比較部（９ｆ）を更に備える。
【００２１】
上記課題を解決するために、本発明のＣＤＭＡ基地局システムは、上記のいずれか一項に記載の通信制御装置（２０）と、通信制御装置（２０）に接続され、移動局と通信を行うアンテナ（５ａ、５ｂ）とを具備する。
【００２２】
上記課題を解決するために、本発明のＣＤＭＡ基地局システムの通信制御方法は、（ａ）〜（ｃ）ステップを具備する。
（ａ）ステップは、第１セクタで通信中の移動局におけるその第１セクタ及びその第１セクタと異なる第２セクタによるソフトハンドオーバーの開始を示す第１送信開始信号（ＳＴ１）を出力する。（ｂ）ステップは、第１送信開始信号（ＳＴ１）に基づいて第１タイミングを決定し、その第１タイミングでそのソフトハンドオーバーの開始を示す第２送信開始信号（ＳＴ２）を出力する。（ｃ）ステップは、第２送信開始信号（ＳＴ２）に基づいて、その通信の送信ベースバンド信号に拡散処理を行った拡散信号を出力する。
【００２３】
上記のＣＤＭＡ基地局システムの通信制御方法において、（ｂ）ステップは、（ｂ１）〜（ｂ３）ステップをを備える。
（ｂ１）ステップは、その移動局に対応する送信タイミング値（Δ）を読み出す。（ｂ２）ステップは、第１送信開始信号（ＳＴ１）の入力に対応して、送信タイミング値（Δ）の全加算としての送信開始タイミング値（ＴＭ）を算出する。（ｂ３）ステップは、第１カウンタのカウンタ値（Ｃ０）と送信開始タイミング値（ＴＭ）とが一致したとき、第２送信開始信号（ＳＴ２）を出力する。
【００２４】
上記のＣＤＭＡ基地局システムの通信制御方法において、（ｄ）〜（ｅ）ステップを更に具備する。
（ｄ）ステップは、その第２セクタでその移動局と通信を行う。（ｅ）ステップは、移動局から受信した受信信号に基づいて、同期検出を行い同期確立信号（ＳＤ）を出力する。（ｆ）ステップは、第１送信開始信号（ＳＴ１）に加えて同期確立信号（ＳＤ）に基づいてその第１タイミングを決定し、その第１タイミングでそのソフトハンドオーバーの開始を示す第２送信開始信号（ＳＴ２）を出力する。
【００２５】
上記のＣＤＭＡ基地局システムの通信制御方法において、（ｆ）ステップは、（ｆ０１）〜（ｆ０４）ステップを備える。
（ｆ０１）ステップは、第２送信開始信号（ＳＴ２）が入力されたときの第２カウンタの第２カウンタ値（Ｃ１）を保持する。（ｆ０２）ステップは、同期確立信号（ＳＤ）が入力されたときの第３カウンタの第３カウンタ値（Ｃ２）を保持する。（ｆ０３）ステップは、同期確立信号（ＳＤ）の入力に対応して、第２カウンタ値（Ｃ１）と第３カウンタ値（Ｃ２）とをそれぞれ読み出し、第２カウンタ値（Ｃ１）と第３タイミング値（Ｃ２）との差分（Δ）を算出する。（ｆ０４）ステップは、差分（Δ）を送信タイミング値（Δ）の一つとしてメモリ（９ｇ）に格納する。
【００２６】
上記のＣＤＭＡ基地局システムの通信制御方法において、（ｆ）ステップは、（ｆ１１）〜（ｆ１４）ステップを備える。
（ｆ１１）ステップは、その第１カウンタのカウンタ値（Ｃ０）と送信開始タイミング値（ＴＭ）とが一致したときの第１カウンタの値としての送信第１カウンタ値（Ｃ０１）を出力する。（ｆ１２）ステップは、同期確立信号（ＳＤ）が入力されたときの第１カウンタの値（Ｃ０）としての同期第１カウンタ値（Ｃ０２）を出力する。（ｆ１３）ステップは、同期確立信号（ＳＤ）の入力に対応して、送信第１カウンタ値と（Ｃ０１）同期第１カウンタ値（Ｃ０２）との差分（Δ）を算出する。（ｆ１４）ステップは、差分（Δ）を送信タイミング値（Δ）の一つとしてメモリ（９ｇ）に格納する。
【００２７】
上記のＣＤＭＡ基地局システムの通信制御方法において、メモリ（９ｇ）は、差分（Δ）が、予め設定された基準値（Ｐ）以下の場合に差分（Δ）を格納する。
【００２８】
【発明の実施の形態】
以下、本発明であるＣＤＭＡ基地局システムの通信制御装置、その通信制御方法及びＣＤＭＡ基地局システムの実施の形態に関して、添付図面を参照して説明する。
まず、本発明であるＣＤＭＡ基地局システムの通信制御装置の実施の形態の構成について説明する。
図１は、本発明であるＣＤＭＡ基地局システムの通信制御装置の実施の形態の構成を説明する図である。通信制御装置は、符号生成部１、拡散部２ａ、２ｂ、無線送信部３ａ、３ｂ、送受信分離部４ａ、４ｂ、アンテナ５ａ、５ｂ、無線受信部６ａ、６ｂ、逆拡散部７ａと７ｂとを含む逆拡散処理部７、復調部８、送信信号処理部９及び制御部１０を具備する。
ここでは、一例としてセクタが二つの場合の通信制御装置を示しているが、本発明はこの例に制限されるものではない。図１における添え字ａ及びｂは、それぞれ二つのセクタの一方に対応する。
【００２９】
符号生成部１は、送信ベースバンド信号を生成する。そして、その送信ベースバンド信号を各セクタに対応する拡散部２ａ、２ｂへ出力する。
拡散部２ａ、２ｂは、入力された送信ベースバンド信号を各セクタ及びユーザ（ただし、ユーザ毎の（送信）セクタ及びユーザ毎の識別は、上位装置から通知される）に対応した符号を用いて符号分割多元接続方式（ＣＤＭＡ）のスペクトラム拡散技術により拡散処理を行う。そして、拡散部２ａ、２ｂは、それぞれ拡散信号ａ、ｂを生成し、それらの拡散信号を、それぞれ無線送信部３ａ、３ｂへ出力する。ただし、その拡散処理は、送信信号処理部９より入力される第２送信開始信号ＳＴ２の入力されたタイミングに基づいて開始される。
無線送信部３ａ、３ｂは、入力された拡散信号の直交変調、無線周波数変換、送信電力制御及びＤ／Ａ変換を行い、送受信分離部４ａ、４ｂへ出力する。
送受信分離部４ａ、４ｂは、入力された送信無線信号をアンテナ５ａ、５ｂへ出力する。また、アンテナ５ａ、５ｂより受信した受信信号を無線受信部６ａ、６ｂへ出力する。
【００３０】
無線受信部６ａ、６ｂは、入力された受信信号の周波数変換、レベル補正及びＡ／Ｄ変換を行った後、逆拡散処理部７へ出力する。
逆拡散処理部７は、各セクタに応じた逆拡散部７ａ、７ｂを備える。逆拡散部７ａ、７ｂは、それぞれのセクタの位相推定に使用する共通パイロットチャネルの逆拡散、移動局の受信ユーザデータの逆拡散、及び受信ユーザデータ内のパイロットシンボルを用いた同期検出を行う。逆拡散部７ａ、７ｂは、逆拡散された受信ユーザデータを復調部８へ送信する。また、パイロットシンボルの同期検出により同期が確立すると、同期確立信号ＳＤを生成して、送信信号制御部９へ送信する。
復調部８は、入力された逆拡散後の受信データの復調処理を行う。復調された受信データは、所定の処理を施され、送信相手側のユーザの移動局を管轄するＣＤＭＡ基地局へ送信される。
制御部１０は、上位装置より通知されたユーザ毎の送信セクタに基づいて、各セクタに対応した拡散部２ａ、２ｂを制御するための第１送信開始信号ＳＴ１を生成して、送信信号処理部９へ出力する。
送信信号処理部９は、制御部１０より生成された第１送信開始信号ＳＴ１（送信制御信号）と逆拡散処理部７より入力された同期確立信号ＳＤとに基づいて、第２送信開始信号ＳＴ２を生成する。そして、その第２送信開始信号ＳＴ２を、それぞれの拡散部２ａ、２ｂへ出力して送信の制御を行う。
【００３１】
次に、送信信号処理部９について説明する。
図２は、本発明であるＣＤＭＡ基地局システムの通信制御装置に適用される送信信号処理部９の実施の形態の構成を説明する図である。送信信号処理部９は、送信タイミングカウンタ９ｄ、タイミング生成部９ｈ、クロック生成部９ｅ、同期タイミングカウンタ９ｃ、タイミング測定部９ｂ、タイミング比較部９ｆ、送信制御信号生成部９ａ、タイミングメモリ９ｇ及び送信制御信号生成部９ａを備える。これらは、電子回路でハードウェア的に構成されている。
【００３２】
送信タイミングカウンタ９ｄは、タイミング生成部９ｈより入力される第２送信開始信号ＳＴ２をトリガとして、クロック生成部９ｅより生成したクロックを用いてカウンタ値をラッチする。そのときのカウンタ値を送信タイミングカウンタ値Ｃ１ともいう。
【００３３】
同期タイミングカウンタ９ｃは、逆拡散処理部７より入力される同期確立信号ＳＤをトリガとして、クロック生成部９ｅより生成したクロックを用いてカウンタ値をラッチする。そのときのカウンタ値を同期タイミングカウンタ値Ｃ２ともいう。
【００３４】
タイミング測定部９ｂは、逆拡散処理部７より入力される同期確立信号ＳＤをトリガとして、送信タイミングカウンタ９ｄから送信タイミングカウンタ値Ｃ１を、及び、同期タイミングカウンタ９ｃから同期タイミングカウンタ値Ｃ２をそれぞれ読み出す。そして、読み出した送信タイミングカウンタ値Ｃ１と同期タイミングカウンタ値Ｃ２との差分Δ（以下、送信タイミング値Δ）を算出して、タイミング比較部９ｆへ送信タイミング値Δを出力する。それと同時に、送信タイミングカウンタ９ｄ及び同期タイミングカウンタ９ｃのカウンタの再スタートを行う。
【００３５】
タイミング比較部９ｆは、予め送信タイミング値Δの許容範囲であるタイミング範囲をしきい値Ｐとして保持している。そして、送信タイミング値Δ≦しきい値Ｐ、の場合、送信タイミング値Δを送信制御信号生成部９ａへ出力する。送信タイミング値Δ＞しきい値Ｐ、の場合、送信制御信号生成部９ａへ出力しない。
【００３６】
送信制御信号生成部９ａは、制御部１０より入力される第１送信開始信号ＳＴ１をトリガとして、対象とする移動局に関わる送信タイミング値Δを、タイミングメモリ９ｇより全て読み出す。そして、それらを全加算して送信開始タイミング値ＴＭを生成し、タイミング生成部９ｈへ設定する。また、タイミング生成部９ｈより入力される第２送信開始信号ＳＴ２を受信し、拡散部２ａ、２ｂへその第２送信開始信号ＳＴ２を出力する。更に、同一移動局（ユーザ）ごとに、送信タイミング値Δをタイミングメモリ９ｇへ格納する。
【００３７】
タイミングメモリ９ｇは、送信制御信号生成部９ａが、同一移動局（ユーザ）ごとに送信タイミング値Δを書き込み、及び、読み出すことが可能なメモリである。
【００３８】
タイミング生成部９ｈは、カウンタ回路で構成され、送信制御信号生成部９ａより設定された送信開始タイミング値ＴＭまでのカウンタ値をクロック生成部９ｅより入力されるクロックでカウントする。そして、カウントした値が送信開始タイミング値ＴＭと一致した場合、送信タイミングカウンタ９ｄへカウンタをラッチさせる第２送信開始信号ＳＴ２を送信する。それと同時に、送信制御信号生成部９ａへも第２送信開始信号ＳＴ２を送信する。
【００３９】
次に、本発明であるＣＤＭＡ基地局システムの通信制御装置の実施の形態の動作（通信制御方法）について図１、図２、図３、図４及び図５を参照して説明する。
移動局が、通信制御装置２０のアンテナ５ａと、上り下り無線リンクを接続している状態で、ＳＨＯによりアンテナ５ｂとも上り下り無線リンクを接続する場合を以下に示す。
【００４０】
ここで、図３は、通信制御装置における信号及びカウンタ値の時間変化を示すグラフである。横軸は時間変化である。（ａ）は、クロック生成部９ｅの生成するクロック信号ＣＬである。（ｂ）は、制御部１０から送信制御信号生成部９ａへ出力される第１送信開始信号ＳＴ１である。（ｃ）は、タイミング生成部９ｈで設定される送信開始タイミング値ＴＭである。（ｄ）は、タイミング生成部９ｈでカウントされるカウント値Ｃ０である。（ｅ）は、タイミング生成部９ｈで生成される第２送信開始信号ＳＴ２である。（ｆ）は、送信タイミングカウンタ９ｄにおける送信タイミングカウンタ値Ｃ１である。（ｇ）は、逆拡散部７で生成される同期確立信号ＳＤである。（ｈ）は、同期タイミングカウンタ９ｃにおける同期タイミングカウンタ値Ｃ２である。
図４及び図５は、本発明であるＣＤＭＡ基地局システムの通信制御装置の実施の形態の動作（通信制御方法）を示すフロー図である。図４及び図５は一繋がりである。
【００４１】
（１）ステップＳ０１
アンテナ５ｂを介した拡散部２ｂの送信を開始するため、制御部１０は、第１送信開始信号ＳＴ１を送信信号処理部９へ入力する。送信信号処理部９内の送信制御信号生成部９ａは、制御部１０より入力された第１送信開始信号ＳＴ１を受信する（図３、時刻ｔ０１）。
（２）ステップＳ０２
送信制御信号生成部９ａは、第１送信開始信号ＳＴ１をトリガとして、対象とする移動局のタイミングメモリ９ｇ内の送信タイミング値Δを全て読み出し、それらの全加算としての送信開始タイミング値ＴＭとする。ここでは、読み出した第１タイミング値が０であったと仮定する（図３、時刻ｔ０２）。
（３）ステップＳ０３
送信制御信号生成部９ａは、送信開始タイミング値ＴＭ＝０をタイミング生成部９ｈへ出力する。
（４）ステップＳ０４
タイミング生成部９ｈは、入力された送信開始タイミング値ＴＭ＝０に基づいて、タイミング生成部９ｈ内で送信開始タイミング値ＴＭ＝０を設定する（図３、時刻ｔ０３）。
（５）ステップＳ０５
タイミング生成部９ｈは、送信開始タイミング値ＴＭの設定と共に、内部のカウンタを動作させる。カウンタは、０から順番にカウントを開始する。
（６）ステップＳ０６
タイミング生成部９ｈは、カウンタの値と送信開始タイミング値ＴＭ（タイミング設定値）とが等しいか否かを判定する。
（７）ステップＳ０７
タイミング生成部９ｈは、カウンタの値と送信開始タイミング値ＴＭとが等しくなった場合、送信タイミングカウンタ９ｄへ第２送信開始信号ＳＴ２を出力する。
ここでは、送信開始タイミング値ＴＭが０なので、カウンタの動作開始と同時にカウンタの値と送信開始タイミング値ＴＭとが等しくなる。そして、第２送信開始信号ＳＴ２を送信タイミングカウンタ９ｄへ出力する（図３、時刻ｔ０４）。
（８）ステップＳ０８
タイミング生成部９ｈは、カウンタの値と送信開始タイミング値ＴＭとが等しくなった場合、送信制御信号生成部９ａへも第２送信開始信号ＳＴ２を出力する。これは、ステップＳ０７と同時に行われる。
（９）ステップＳ０９
送信制御信号生成部９ａは、入力された第２送信開始信号ＳＴ２を拡散部２ｂへ送信してアンテナ５ｂを介した拡散部２ｂの送信を開始する。
（１０）ステップＳ１０
送信タイミングカウンタ９ｄは、第２送信開始信号ＳＴ２が入力された時点でのカウンタ値（送信タイミングカウンタ値Ｃ１）をラッチする。図３では、送信タイミングカウンタ値Ｃ１＝２である（図３、時刻ｔ０４）。
（１１）ステップＳ１１
一方、逆拡散部７ｂは、アンテナ５ｂを介した通信により送受信分離部４ｂ−無線受信部６ｂで受信した受信信号の逆拡散処理及び同期検出を行う。このとき、移動局からは送信が開始されていないため、同期タイミングカウンタ９ｃは、クロック生成部９ｅによりカウントアップされる。そして、逆拡散部７ｂは、上り無線リンクの同期確立により同期確立信号ＳＤを生成し、同期タイミングカウンタ９ｃに入力する。同期タイミングカウンタ９ｃは、同期確立信号ＳＤを受信する。
（１２）ステップＳ１２
同期タイミングカウンタ９ｃは、同期確立信号ＳＤが入力された時点でのカウンタ値（同期タイミングカウンタ値Ｃ２）をラッチする。図３では、同期タイミングカウンタ値Ｃ２＝ｎ＋２である（図３、時刻ｔ０５）。
（１３）ステップＳ１３
タイミング測定部９ｂは、同期タイミングカウンタ９ｃと同様に、同期確立信号ＳＤを受信する。
（１４）ステップＳ１４
タイミング測定部９ｂは、同期タイミングカウンタ９ｃでラッチされたカウンタ値（同期タイミングカウンタ値Ｃ２＝ｎ＋２）を、同期確立信号をトリガとして、同期タイミングカウンタ９ｃから読み出す。
（１５）ステップＳ１５
タイミング測定部９ｂは、送信タイミングカウンタ９ｄでラッチされたカウンタ値（送信タイミングカウンタ値Ｃ１＝２）を、同期確立信号ＳＤをトリガとして、送信タイミングカウンタ９ｄから読み出す。
（１６）ステップＳ１６
タイミング測定部９ｂは、両カウンタ値の差分Δ＝（ｎ＋２）−２＝ｎを算出する。
（１７）ステップＳ１７
タイミング測定部９ｂは、差分Δとしての送信タイミング値Δ（＝ｎ）をタイミング比較部９ｆへ出力する。タイミング比較部９ｆは、送信タイミング値Δを受信する。
（１８）ステップＳ１８
タイミング比較部９ｆは、予め保持しているしきい値Ｐと送信タイミング値Δ（差分Δ）とを比較する。
（１９）ステップＳ１９
送信タイミング値Δ≦しきい値Ｐ、の場合、送信タイミング値Δを送信制御信号生成部９ａへ出力する。（送信タイミング値Δ＞しきい値Ｐ、の場合、送信制御信号生成部９ａへ出力しない。）
（２０）ステップＳ２０
送信制御信号生成部９ａは、送信タイミング値Δ＝差分Δ＝ｎをタイミングメモリ９ｇに書き込む。次回の送信開始タイミング値ＴＭは、タイミングメモリ９ｇに書き込まれた送信タイミング値Δの全加算値である。この場合、ｎである。その値（送信開始タイミング値ＴＭ）は、次回の同一の移動局（ユーザ）のＳＨＯのタイミング調整に使用する。
【００４２】
続いて、上記説明を行ったものと同一の移動局（ユーザ）が、再び（同一の通話の中における時間的に連続的な状態で）通信制御装置２０のアンテナ５ａと、上り下り無線リンクを接続している状態で、ＳＨＯによりアンテナ５ｂとも上り下り無線リンクを接続する場合を図１、図２、図４、図５及び図６を参照して以下に示す。
ここで、図６は、通信制御装置における信号及びカウンタ値の時間変化を示すグラフである。横軸は時間変化である。（ａ）〜（ｈ）は、図３と同様である。
【００４３】
（１）ステップＳ０１
アンテナ５ｂを介した拡散部２ｂの送信を開始するため、制御部１０は、第１送信開始信号ＳＴ１を送信信号処理部９へ入力する。送信信号処理部９内の送信制御信号生成部９ａは、制御部１０より入力された第１送信開始信号ＳＴ１を受信する（図６、時刻ｔ１１）。
（２）ステップＳ０２
送信制御信号生成部９ａは、第１送信開始信号ＳＴ１をトリガとして、対象とする移動局のタイミングメモリ９ｇ内の送信タイミング値Δを全て読み出し、それらの全加算としての送信開始タイミング値ＴＭとする。ここで、読み出した第１タイミング値は、前回（上記説明）、タイミングメモリ９ｇに書き込まれたｎを使用する（図６、時刻ｔ１２）。
（３）ステップＳ０３
送信制御信号生成部９ａは、送信開始タイミング値ＴＭ＝ｎをタイミング生成部９ｈへ出力する。
（４）ステップＳ０４
タイミング生成部９ｈは、入力された送信開始タイミング値ＴＭ＝ｎに基づいて、タイミング生成部９ｈ内で送信開始タイミング値ＴＭ＝０を設定する（図６、時刻ｔ１３）。
（５）ステップＳ０５
タイミング生成部９ｈは、送信開始タイミング値ＴＭの設定と共に、内部のカウンタを動作させる。カウンタは、０から順番にカウントを開始する。
（６）ステップＳ０６
タイミング生成部９ｈは、カウンタの値と送信開始タイミング値ＴＭ（タイミング設定値）とが等しいか否かを判定する。
（７）ステップＳ０７
タイミング生成部９ｈは、カウンタの値と送信開始タイミング値ＴＭとが等しくなった場合、送信タイミングカウンタ９ｄへ第２送信開始信号ＳＴ２を出力する。
ここでは、送信開始タイミング値ＴＭがｎなので、カウンタの値がｎにカウントアップした時点で、第２送信開始信号ＳＴ２を送信タイミングカウンタ９ｄへ出力する（図６、時刻ｔ１４）。
（８）ステップＳ０８
タイミング生成部９ｈは、カウンタの値と送信開始タイミング値ＴＭとが等しくなった場合、送信制御信号生成部９ａへも第２送信開始信号ＳＴ２を出力する。これは、ステップＳ０７と同時に行われる。
（９）ステップＳ０９
送信制御信号生成部９ａは、入力された第２送信開始信号ＳＴ２を拡散部２ｂへ送信してアンテナ５ｂを介した拡散部２ｂの送信を開始する。
（１０）ステップＳ１０
送信タイミングカウンタ９ｄは、第２送信開始信号ＳＴ２が入力された時点でのカウンタ値（送信タイミングカウンタ値Ｃ１）をラッチする。図６では、送信タイミングカウンタ値Ｃ１＝ｍである（図６、時刻ｔ１４）。
（１１）ステップＳ１１
一方、逆拡散部７ｂは、アンテナ５ｂを介した通信により送受信分離部４ｂ−無線受信部６ｂで受信した受信信号の逆拡散処理及び同期検出を行う。このとき、移動局からは送信が開始されていないため、同期タイミングカウンタ９ｃは、クロック生成部９ｅによりカウントアップされる。そして、逆拡散部７ｂは、上り無線リンクの同期確立により同期確立信号ＳＤを生成し、同期タイミングカウンタ９ｃに入力する。同期タイミングカウンタ９ｃは、同期確立信号ＳＤを受信する。
（１２）ステップＳ１２
同期タイミングカウンタ９ｃは、同期確立信号ＳＤが入力された時点でのカウンタ値（同期タイミングカウンタ値Ｃ２）をラッチする。図５では、同期タイミングカウンタ値Ｃ２＝ｍ＋αである（図６、時刻ｔ１５）。
（１３）ステップＳ１３
タイミング測定部９ｂは、同期タイミングカウンタ９ｃと同様に、同期確立信号ＳＤを受信する。
（１４）ステップＳ１４
タイミング測定部９ｂは、同期タイミングカウンタ９ｃでラッチされたカウンタ値（同期タイミングカウンタ値Ｃ２＝ｍ＋α）を、同期確立信号をトリガとして、同期タイミングカウンタ９ｃから読み出す。
（１５）ステップＳ１５
タイミング測定部９ｂは、送信タイミングカウンタ９ｄでラッチされたカウンタ値（送信タイミングカウンタ値Ｃ１＝ｍ）を、同期確立信号ＳＤをトリガとして、送信タイミングカウンタ９ｄから読み出す。
（１６）ステップＳ１６
タイミング測定部９ｂは、両カウンタ値の差分Δ＝（ｍ＋α）−ｍ＝αを算出する。
（１７）ステップＳ１７
タイミング測定部９ｂは、差分Δとしての送信タイミング値Δ（＝α）をタイミング比較部９ｆへ出力する。タイミング比較部９ｆは、送信タイミング値Δを受信する。
（１８）ステップＳ１８
タイミング比較部９ｆは、予め保持しているしきい値Ｐと送信タイミング値Δ（差分Δ）とを比較する。
（１９）ステップＳ１９
送信タイミング値Δ≦しきい値Ｐ、の場合、送信タイミング値Δを送信制御信号生成部９ａへ出力する。（送信タイミング値Δ＞しきい値Ｐ、の場合、送信制御信号生成部９ａへ出力しない。）
（２０）ステップＳ２０
送信制御信号生成部９ａは、送信タイミング値Δ＝差分Δ＝αをタイミングメモリ９ｇに書き込む。次回の送信開始タイミング値ＴＭは、タイミングメモリ９ｇに書き込まれた送信タイミング値Δの全加算値である。この場合、ｎ＋αである。その値（送信開始タイミング値ＴＭ）は、次回の同一の移動局（ユーザ）のＳＨＯのタイミング調整に使用する。
これにより上位装置より通知されることなく、送信タイミングを決定することが可能となる。そして、送信タイミング値Δのサンプル数が増加するにつれ、送信タイミングは最適値へと収束可能である。
【００４４】
本発明により、ＳＨＯ開始時に、下り送信開始タイミングと上り受信時の同期確立タイミングの差分をハードウェアにより検出し、フィードバックすることで、上りと下りの送信タイミング時間差を短縮することが出来る。そして、ＳＨＯの送信開始タイミングを、上位装置から通知されること無く、通信制御装置２０自体が決定可能となる。
【００４５】
また、本発明により、ハードウェアの構成により送信開始タイミングを決定できるので、上位装置からの送信開始タイミング通知、送信タイマの監視、演算によるタイミング決定、送信開始制御等のソフトウェア処理を行う必要が無く、ソフトウェアによる処理負荷を軽減させることが可能となる。
【００４６】
上記実施の形態において、送信タイミングカウンタ９ｄ及び同期タイミングタウンタ９ｃの機能をタイミング生成部９ｈに含ませても良い。それを示したのが、図６である。
【００４７】
図７は、本発明であるＣＤＭＡ基地局システムの通信制御装置に適用される送信信号処理部９の実施の形態の他の構成を説明する図である。
タイミング生成部９ｉは、図２における送信タイミングカウンタ９ｄ、同期タイミングタウンタ９ｃ及びタイミング生成部９ｈの機能を併せたものである。
タイミング生成部９ｉは、クロック生成部９ｅより生成したクロックを用いて常時カウンタを動作させている。また、送信制御信号生成部９ａより入力される送信開始タイミング値ＴＭを設定する。そして、カウンタ値と送信開始タイミング値ＴＭとが一致したとき、送信制御信号生成部９ａに第２送信開始信号ＳＴ２を出力する。それと同時に、タイミング測定部９ｅへカウンタ値Ｃ０１（送信タイミングカウンタ値に相当）を通知する。
タイミング生成部９ｉは、また、逆拡散部７からの同期確立信号ＳＤが入力したとき、そのときのカウンタ値Ｃ０２（同期タイミングカウンタ値に相当）をタイミング測定部９ｅへ通知する。
その他は、上記の実施の形態と同様であるので、その説明を省略する。
【００４８】
図７の場合、タイミング測定で使用するカウンタ回路を一つの回路に削減することで、回路規模の縮小が可能である。
【００４９】
【発明の効果】
本発明により、ＣＤＭＡ基地局システムによるＳＨＯ（ソフトハンドオーバー）開始時に、他の装置の支援によらずに送信開始タイミングを決定できる。
【図面の簡単な説明】
【図１】本発明であるＣＤＭＡ基地局システムの通信制御装置の実施の形態の構成を説明する図である。
【図２】本発明であるＣＤＭＡ基地局システムの通信制御装置に適用される送信信号処理部の実施の形態の構成を説明する図である。
【図３】（ａ）〜（ｈ）通信制御装置における信号及びカウンタ値の時間変化を示すグラフである。
【図４】本発明であるＣＤＭＡ基地局システムの通信制御装置の実施の形態の動作を示すフロー図である。
【図５】本発明であるＣＤＭＡ基地局システムの通信制御装置の実施の形態の動作を示すフロー図である。
【図６】（ａ）〜（ｈ）通信制御装置における信号及びカウンタ値の時間変化を示すグラフである。
【図７】本発明であるＣＤＭＡ基地局システムの通信制御装置に適用される送信信号処理部の実施の形態の他の構成を説明する図である。
【図８】従来のＣＤＭＡ基地局装置の回路構成の一例を示すブロック図である。
【符号の説明】
１    符号生成部
２ａ、２ｂ    拡散部
３ａ、３ｂ    無線送信部
４ａ、４ｂ    送受信分離部
５ａ、５ｂ    アンテナ
６ａ、６ｂ    無線受信部
７    逆拡散処理部
７ａ、７ｂ    逆拡散部
８    復調部
９    送信信号処理部
９ａ    送信制御信号生成部
９ｂ    タイミング測定部
９ｃ    同期タイミングカウンタ
９ｄ    送信タイミングカウンタ
９ｅ    クロック生成部
９ｆ    タイミング比較部
９ｇ    タイミングメモリ
９ｈ    タイミング生成部
９ｉ    タイミング生成部
１０    制御部
２０    通信制御装置
１０１    符号生成部
１０２ａ、１０２ｂ    拡散部
１０３ａ、１０３ｂ    無線送信部
１０４ａ、１０４ｂ    送受信分離部
１０５ａ、１０５ｂ    アンテナ
１０６ａ、１０６ｂ    無線受信部
１０７    逆拡散処理部
１０７ａ、１０７ｂ    逆拡散部
１０８    復調部
１０９    内部カウンタ
１１０    制御部
１２０    通信制御装置
【図１】
2004201162.tif 000003
【図２】
2004201162.tif 000004
【図３】
2004201162.tif 000005
【図４】
2004201162.tif 000006
【図５】
2004201162.tif 000007
【図６】
2004201162.tif 000008
【図７】
2004201162.tif 000009
【図８】
2004201162.tif 000010